(57)【要約】【課題】  振動発生装置からの振動を効率的に容器本体の伝達することができるとともに、容器本体底部における設計の自由度や、操作性およびメンテナンス性を向上させることができる振動型乾燥機を提供する。【解決手段】  支持部材２０、２１と、この支持部材に弾性体２２を介して揺動自在に支承され、原料の投入口３０および排出口３６並びに内部を加熱する加熱手段３２が設けられた容器本体２３と、この容器本体２３に固定されて当該容器本体２３に振動を与える１以上の振動発生装置２６とを備えた振動型乾燥機において、排出口３６を、容器本体２３の底部に設け、かつ振動発生装置２６を、容器本体２３の側胴部２３ａに固定したことを特徴とする。【選択図】  図１
2007024321.tif 000002
【特許請求の範囲】
【請求項１】
支持部材と、この支持部材に弾性体を介して揺動自在に支承され、原料の投入口および排出口並びに内部を加熱する加熱手段が設けられた容器本体と、この容器本体に固定されて当該容器本体に振動を与える１以上の振動発生装置とを備えた振動型乾燥機において、
上記排出口を、上記容器本体の底部に設け、かつ上記振動発生装置を、上記容器本体の側胴部に固定したことを特徴とする振動型乾燥機。
【請求項２】
上記容器本体には、内部を減圧する減圧手段が接続されていることを特徴とする請求項１に記載の振動型乾燥機。
【発明の詳細な説明】
【技術分野】
【０００１】
本発明は、内部に供給された原料に振動を与えつつ加熱乾燥するための振動型乾燥機に関するものである。
【背景技術】
【０００２】
医薬品、食品あるいは化学製品等の製造工程においては、各種粉末を乾燥処理するための様々な形式の乾燥機が用いられている。
図３は、上記乾燥機の一種である従来の振動型真空乾燥機を示すものである。
この乾燥機は、基台１上に立設された４本の支柱２と、これら支柱２の上端部に、弾性を有するラバースプリング３を介して支持された構造部材４と、この構造部材４に一体化された容器本体５とから概略構成されたものである。
【０００３】
ここで、容器本体５は、上部に容器本体５内を真空引きするための真空吸引管６と、原料の投入管（真空吸引管６の紙面後方側に位置するため図には現れない。）が接続され、底部にボールバルブ７を介してフレキシブルな原料排出管８が接続されるとともに、２重管構造とされた外殻５ａとの間に温水や蒸気等の加熱媒体が供給されるようになっている。また、容器本体５の外周面には、保温材９が施されている。
【０００４】
そして、容器本体５に一体化された構造部材４には、支柱２間を下方に垂下する平板状の一対の取付板１０が一体化されており、これら取付板１０の外周面に、それぞれ電動の振動発生装置１１が、上記支柱２間に位置するように固定されている。なお、図中符号１２は、容器本体５の底部中央から突出して環状の粉末通路を形成することにより、当該粉末の流動性を促進させとともに、内部に加熱媒体が供給されることにより、加熱性能も向上させるためのセンターポールである。
【０００５】
上記構成からなる従来の振動型真空乾燥機によれば、図示されない原料管から容器本体５内に乾燥処理すべき粉末を投入し、真空吸引管６によって内部を数ｔｏｒｒの真空雰囲気とした後に、これを外殻５ａとの間に供給された熱媒体によって加熱しつつ、振動発生装置１１を作動させて容器本体５自体を支柱２に対して揺動させることにより、上記粉末を均一かつ効率的に乾燥処理することができる。
【発明の開示】
【発明が解決しようとする課題】
【０００６】
ところで、上記従来の振動型真空乾燥機にあっては、構造部材４から垂下させた取付板１０に振動発生装置１１を取り付けているために、当該振動発生装置１１が、これら全体の重心位置よりも低い位置になってしまう。この結果、振動発生装置１１において発生する振動が、効率的に容器本体５に伝達されないという問題点があった。
【０００７】
また、上記取付板１０および振動発生装置１１が、容器本体５の下方に位置しているために、底部に設けられるボールバルブ７の位置や、原料排出管８をフレキシブルに形成しなければならない等の設計上の制約を受けるとともに、上記底部には、他に温度計等の測定計器も取り付けられているために、これらの操作やメンテナンスが難しいという問題点もあった。
【０００８】
加えて、構造部材４に対する取付板１０の溶接作業や、取付板１０への振動発生装置１１の取付作業が、容器本体５下方の狭隘な空間での作業となるために、当該振動型真空乾燥機の製造自体にも、多くの手間を要するという問題点もあった。
【０００９】
本発明は、かかる事情に鑑みてなされたもので、振動発生装置からの振動を効率的に容器本体の伝達することができるとともに、容器本体底部における設計の自由度や、操作性およびメンテナンス性を向上させることができる振動型乾燥機を提供することを課題とするものである。
【課題を解決するための手段】
【００１０】
上記課題を解決するために、請求項１に記載の発明は、支持部材と、この支持部材に弾性体を介して揺動自在に支承され、原料の投入口および排出口並びに内部を加熱する加熱手段が設けられた容器本体と、この容器本体に固定されて当該容器本体に振動を与える１以上の振動発生装置とを備えた振動型乾燥機において、上記排出口を、上記容器本体の底部に設け、かつ上記振動発生装置を、上記容器本体の側胴部に固定したことを特徴とするものである。
【００１１】
ここで、請求項２に記載の発明は、請求項１に記載の容器本体には、内部を減圧する減圧手段が接続されていることを特徴とするものである。
【発明の効果】
【００１２】
請求項１または２に記載の発明によれば、振動発生装置を容器本体の側胴部に固定しているために、上記振動発生装置によって生じる振動を、容器本体にその重心近傍の高さ位置において直接伝達させることができる。このため、振動発生装置による振動の伝達効率を向上させることができる。
【００１３】
また、振動発生装置を容器本体の側胴部に固定した結果、容器本体の下部に大型の構造物が無くなるために、排出口を、極力容器本体の底部の中央に近づけて粉末の排出性を向上させたり、あるいは上記排出口に接続される排出管として剛性を有する直管を用いたり、さらには容器本体の下部を取り外し自在に設けて内部の清掃やメンテナンスを向上させたりする等の自由な設計を行うことが可能になる。
【００１４】
加えて、上記容器本体の底部に取り付けられる排出口用の開閉弁や、各種測定計器類の操作およびメンテナンスが容易になるとともに、振動発生装置を固定するための溶接作業等を周囲が開放された容器本体の側部で行うことができるために、製造時における作業性にも優れるといった効果が得られる。
【発明を実施するための最良の形態】
【００１５】
図１および図２は、本発明に係る振動型乾燥機を振動型真空乾燥機に適用した一実施形態を示すもので、図中符号２０がこの乾燥機全体を床上に固定するための下部ベースである。この下部ベース２０は、一部２０ａが凹状に切り欠かれた厚肉板状の部材で、その四角隅部に、支柱２１が一体的に立設されている。ここで、下部ベース２０および支柱２１によってこの乾燥機における支持部材が構成されている。
【００１６】
そして、支柱２１の上端部に、ゴム製のスプリング（弾性体）２２を間に介して容器本体２３と一体化された構造部材２４が設けられている。
この構造部材２４は、容器本体２３の側胴部２３ａの上下部にそれぞれ一体化された平板部材２４ａ、２４ｂと、スプリング２２の上方位置において平板部材２４ａ、２４ｂ間を一体的に連結する４組のブラケット２４ｃとから概略構成されている。
【００１７】
そして、構造部材２４の平板部材２４ａ、２４ｂ間であって、かつ周方向に１８０°離間した位置に、それぞれ取付板２５を介して振動発生装置２６が固定されている。ここで、２組の上記振動発生装置２６は、中心部に設けられたモータの回転軸の両端部に偏心荷重部が設けられたもので、モータの回転軸を鉛直線に対して約４５°傾斜させた状態で、かつ互いに点対称となるように設けられている。
【００１８】
他方、容器本体２３は、上記側胴部２３ａの上端部に、例えばＶバンドカップリング等の締結具２７を介して鏡部２３ｂが着脱自在に設けられたもので、当該鏡部２３ｂに原料粉末の投入口３０が設けられている。また、この鏡部２３ｂの頂部には、内部を真空引きするための真空吸引管（減圧手段）３１が接続されており、この真空吸引管３１には容器本体２３内に垂下するバグフィルターが設けられている。
【００１９】
他方、側胴部２３ａは、外殻２３ｃとの間に空間３２が形成された２重管構造とされており、この空間３２内に温水または蒸気（加熱手段）が供給可能になっている。なお、図中符号３３が、上記温水の供給口兼ドレンの排出口である。そして、外殻２３ｃの外周には、保温材３４が設けられている。
【００２０】
また、側胴部２３ａの底面中央には、これから中空円柱状に突出するセンターポール３５が形成されており、センターポール３５の内部は、上記空間３２と連通されている。そして、このセンターポール３５によって容器本体２３の底部に形成された円環状の空間の最も低い位置に、乾燥された粉末の排出口３６が形成されている。さらに、この排出口３６には、開閉弁３７を介して直管状の排出管３８が下方に傾斜するように接続されている。また、容器本体２３の底部には、測温抵抗体３８を挿入するための取付管３９が設けられている。
【００２１】
以上の構成からなる振動型真空乾燥機においては、従来のものと同様に、原料の粉末を投入口３０から容器本体２３内に投入し、真空吸引管３１によって内部を１〜数ｔｏｒｒの真空雰囲気にするとともに、容器本外２３の外殻２３ｃとの間の空間３２に温水または蒸気を供給して内部の粉末を加熱しつつ、振動発生装置２６を作動させて容器本体２３自体を支柱２１に対して揺動させる。
【００２２】
これにより、内部の上記粉末が飛散流動することにより、当該粉末を均一かつ効率的に乾燥処理することができるとともに、乾燥処理後は、ハンドル４０によって開閉弁３７を開くことにより、容器本体２３の底部であって最も低い位置に設けられた排出口３６から、内部の粉末を余すところ無く排出管３８を介して別途容器等へと排出することができる。
【００２３】
この際に、上記振動型真空乾燥機によれば、振動発生装置２６を容器本体２３の側胴部２３ａに固定しているために、振動発生装置２６によって生じる振動を、容器本体２３にその重心とほぼ等しい高さ位置において直接伝達させることができる。このため、振動発生装置２６による振動の伝達効率を向上させることができる。
【００２４】
また、振動発生装置２６を容器本体２３の側胴部２３ａに固定した結果、容器本体２３の下部に大型の構造物が無く、よって排出口３６を容器本体２３の底部の最も低い位置に形成することができるために、粉末の排出性を向上させることができる。また、排出口３６に接続される排出管３８として、上述したような剛性を有する直管を用いたり、あるいは容器本体２３の下部を取り外し自在に設けて内部の清掃やメンテナンスを向上させたりするなどの自由な設計を行うことが可能になる。
【００２５】
加えて、容器本体２３の底部の排出口３６に取り付けた開閉弁３７を、容易に着脱式のハンドル４０によって操作することができるとともに、測温抵抗体３８等の容器本体２３の底部に取り付けた各種測定計器類の操作やメンテナンスも容易になる。
さらには、振動発生装置２６を固定するための取付板２５等の溶接作業も、周囲が開放された容器本体２３の側部で行うことができるために、製造時における作業性にも優れる。
【００２６】
なお、上記実施の形態においては、振動発生装置２６を２組設けた場合に付いてのみ説明したが、これに限定されるものではなく、１組あるいは３組以上設けることもできる。
また、加熱手段として、２重管構造とした容器本体２３の空間３２に温水や蒸気等の熱媒体を供給する構成を例示したが、これに限らず、例えば容器本体２３の外周に伝熱式のヒーターを巻回する等の他の加熱手段を用いることも可能である。
【図面の簡単な説明】
【００２７】
【図１】本発明の振動型乾燥機の一実施形態を示す一部断面視した正面図である。
【図２】図１の平面図である。
【図３】従来の振動型真空乾燥機を示す一部断面視した正面図である。
【符号の説明】
【００２８】
２０  下部ベース
２１  支柱
２２  スプリング（弾性体）
２３  容器本体
２４  構造部材
２６  振動発生装置
３０  原料の投入口
３１  真空吸引管（減圧手段）
３２  温水または蒸気の充填空間（加熱手段）
３６  排出口
【図１】
2007024321.tif 000003
【図２】
2007024321.tif 000004
【図３】
2007024321.tif 000005